(57)【要約】  容器本体（４）と、キャップ閉鎖具（８）と、プラスチック膜（１２）とを含む容器（２）が提供される。容器本体（４）は、製品を保持することのできる受容領域を有する。開口部は、受容領域を囲んでいる。キャップ閉鎖具（６）は、開口部上に配置されている。キャップ閉鎖具（６）は、開口部の周りに係合可能な取付具（８）および該取付具（８）とヒンジで連結された蓋（１０）を含む。プラスチック膜（１２）は、キャップ閉鎖具（６）と一体成形されており、受容領域からの漏れを封止して防止する。膜（１２）は、取付具（８）に取り外し不可能に付着し、かつ枢動点（２２）で合流する縁部を有するＶ字形状の外縁部（１８）を有する副領域と、その周辺に沿って取付具（８）およびＶ字形状の外縁部（１８）に取り外し可能に付着した主領域とを含む。プルタブ（２４）は、枢動点（２２）において膜の表面上に形成されている。【選択図】図２
2014522782.tif 000002
【特許請求の範囲】
【請求項１】
容器（２）であって、
（ｉ）製品を保持することのできる受容領域を有する容器本体（４）であって、前記容器（２）が、前記受容領域を囲む開口部を有する容器本体（４）と、
（ｉｉ）前記開口部上に配置されたキャップ閉鎖具（６）であって、前記開口部の周りに係合可能な取付具（８）および該取付具（８）とヒンジで連結された蓋（１０）を備えるキャップ閉鎖具（６）と、
（ｉｉｉ）前記キャップ閉鎖具（６）と一体成形され、かつ前記取付具（１８）から上方へ突出した支持壁（１４）によって囲まれたプラスチックの膜（１２）であって、該膜（１２）が、前記開口部を密閉しており、前記膜（１２）が、
（ａ）前記支持壁に取り外し不可能に付着した、一方の端部にある副領域であって、枢動点（２２）で角を成すように合流する縁部（２０ａ、２０ｂ）を有するＶ字形状の外縁部（１８）を有するシェルフ（１６）である副領域と、
（ｂ）前記膜の第２の端部にある主領域であって、該主領域が、該主領域の周辺の一部分に沿って前記支持壁（１４）に取り外し可能に付着しており、前記周辺の別の部分に関して前記Ｖ字形状の外縁部（１８）に取り外し可能に付着している主領域と、
（ｃ）前記膜の表面から外側へ突出し、かつ前記Ｖ字形状の外縁部（１８）の前記枢動点（２２）に隣接して付着したプルタブ（２４）とを備える膜（１２）と
を備える容器（２）。
【請求項２】
前記副領域上に形成され、かつ前記Ｖ字形状の外縁部（１８）の長さの少なくとも８０％にわたって前記Ｖ字形状の外縁部（１８）をなぞる１対の交差バー（３２ａ、３２ｂ）をさらに備える、請求項１に記載の容器。
【請求項３】
前記バー（３２ａ、３２ｂ）が交差点において成す角度が、９０〜１７０°の範囲内である、請求項２に記載の容器。
【請求項４】
前記バー（３２ａ、３２ｂ）が交差点において成す角度が、１１０〜１５０°の範囲内である、請求項２に記載の容器。
【請求項５】
前記プルタブ（２４）が、リング（２６）および支柱（２８）を備え、前記リング（２６）が、前記支柱（２８）によって支持されている、請求項１〜４のいずれか一項に記載の容器。
【請求項６】
一端において前記膜に付着した前記支柱（２８）が、少なくとも２つの足（３０）を有し、該少なくとも２つの足（３０）によって、前記一端が拡大されている、請求項５に記載の容器。
【請求項７】
前記枢動点（２２）に向かって長さを有し、かつ前記容器内に向かって下方へ突出している中央リブ（３８）を前記シェルフの下面にさらに備える、請求項１〜６のいずれか一項に記載の容器。
【請求項８】
前記中央リブの両側に位置する側方リブ（４０ａ、４０ｂ）を前記シェルフの下面にさらに備え、前記側方リブ（４０ａ、４０ｂ）が、前記中央リブ（３８）よりも長い寸法を有する、請求項７に記載の容器。
【請求項９】
前記側方リブ（４０ａ、４０ｂ）が、内側に向かって互いに次第に接近している、請求項８に記載の容器。
【発明の詳細な説明】
【技術分野】
【０００１】
本発明は、容器を封止するための取り外し可能な膜、特に、押上げ式のキャップ閉鎖具を有する瓶（ｊａｒ）を封止するための取り外し可能な膜に関する。
【背景技術】
【０００２】
国際公開第２００９／１０９４８０号（Ｄｏｍｏｙら）は、化粧品用の瓶、好適には、コールドクリームまたはワセリン用の瓶について開示している。この瓶は、非円形の容器本体およびキャップ閉鎖具を有する。キャップ閉鎖具は、瓶の口の周りに係合可能な取付具を含む。蓋は、取付具にヒンジで連結されている。
【先行技術文献】
【特許文献】
【０００３】
【特許文献１】国際公開第２００９／１０９４８０号
【発明の概要】
【発明が解決しようとする課題】
【０００４】
前述の説明における瓶には、多数の問題がある。非常に暑い気候条件下では、瓶内に含まれている製品の移動性が、漏れる程度にまで高まる。また、不正開封の可能性の問題もある。
【０００５】
したがって、小売店の棚において潜在的な購入者に未開封の証拠を提示する封止システムを開発する必要がある。また、いかなる製品の漏れをも防止するシール、とりわけ、暑い気候において配送される製品のためのシールが必要とされている。
【課題を解決するための手段】
【０００６】
容器（２）であって、
（ｉ）製品を保持することのできる受容領域を有する容器本体（４）であって、容器（２）が、受容領域を囲む開口部を有する容器本体（４）と、
（ｉｉ）開口部上に配置されたキャップ閉鎖具（６）であって、開口部の周りに係合可能な取付具（８）および該取付具（８）とヒンジで連結された蓋（１０）を備えるキャップ閉鎖具（６）と、
（ｉｉｉ）キャップ閉鎖具（６）と一体成形され、かつ取付具（１８）から上方へ突出した支持壁（１４）によって囲まれたプラスチックの膜（１２）であって、膜（１２）が、開口部を密閉し、膜（１２）が、
（ａ）支持壁に取り外し不可能に付着した、一方の端部にある副領域であって、枢動点（２２）で角を成すように合流する縁部（２０ａ、２０ｂ）を有するＶ字形状の外縁部（１８）を有するシェルフ（１６）である副領域と、
（ｂ）膜の第２の端部にある主領域であって、該主領域が、該主領域の周辺の一部分に沿って支持壁（１４）に取り外し可能に付着しており、該周辺の別の部分に関してＶ字形状の外縁部（１８）に取り外し可能に付着している主領域と、
（ｃ）膜の表面から外側へ突出し、かつＶ字形状の外縁部（１８）の枢動点（２２）に隣接して付着したプルタブ（２４）とを備える膜（１２）と
を含む容器（２）が提供される。
【０００７】
本発明のさらなる特徴および利点は、図面を検討することによって、より明らかとなる。
【図面の簡単な説明】
【０００８】
【図１】本発明に係る容器の斜視図である。
【図２】開位置にあるキャップ閉鎖具の上面図である。
【図３】図２に示されている開かれた状態のキャップ閉鎖具の右側面図である。
【図４】図２に示されている線４−４における断面図である。
【図５】図２に示されている開かれた状態のキャップ閉鎖具の下面図である。
【発明を実施するための形態】
【０００９】
漏れに関する以前の問題および不正開封防止シールの欠如は、キャップ閉鎖具を伴う引き裂き可能な膜の共射出成形の使用によって解決された。
【００１０】
図１は、好ましい実施形態を示している。この中には、開口部がキャップ閉鎖具６によって固定されている容器本体４を特徴として有する容器２が示されている。閉鎖具は、取付具８およびヒンジで連結された蓋１０を含む。
【００１１】
蓋１０は、ヒンジ１１を介して取付具に取り付けられている。三日月形状の窪み１３ａ、１３ｂは、互いに対向しており、蓋の天井部に形作られている。
【００１２】
図２および図３は、キャップ閉鎖具と一体成形され、かつ容器本体の口を密閉するよう機能するプラスチック膜１２を示している。支持壁１４は、取付具から上方へ突出しており、膜を囲んでいる。
【００１３】
膜の一方の端部には、支持壁に取り外し不可能に付着した、シェルフ１６である副領域がある。シェルフは、枢動点２２で角を成すように合流する縁部２０ａ、２０ｂを有するＶ字形状の外縁部１８を有する。膜の主領域は、支持壁およびシェルフに取り外し可能に付着した除去可能部１７である。
【００１４】
プルタブ２４は、好ましい実施形態ではリング２６であってもよい。リングに対する支持は、枢動点２２に隣接して、膜の表面から外側へ突出するように付着した支柱２８によって実現されている。図４に示されているように、支柱は、膜との付着位置に、少なくとも２つの足３０を特徴として有し、少なくとも２つの足３０は、リングとの付着端部において、支柱の直径よりも幅の広い接続部を支柱に提供している。
【００１５】
１対の交差バー３２ａ、３２ｂが、膜の副領域（すなわち、シェルフ）上に形成されている。これらのバーは全体として、Ｖ字形状の外縁部の長さの少なくとも８０％にわたってＶ字形状の外縁部をなぞっている。これらのバーが交差点において成す角度は、９０〜１７０°、好ましくは１１０〜１５０℃の範囲内である。
【００１６】
方向矢印３４を含むマークが、シールを除去する方法の、消費者に対する標識として、膜に成形されてもよい。膜の除去可能部１７の縁部に沿って、および、シェルフのＶ字形状の外縁部をなぞるように、消費者によるリング３６の上方への引張り動作によって容易に引き裂かれる細いウェブ（ｗｅｂ）３６がある。膜とウェブとの厚さの比率は、約２０：１〜約５：１、好ましくは約１５：１〜約８：１の範囲内であってもよく、最適には約１０：１であってもよい。好ましい実施形態では、ウェブは、１インチの３０／１，０００の厚さであり、ウェブは、１インチの３／１，０００の厚さである（１インチは、２．５４ｃｍである）。ウェブの引き裂きの容易さを改善するには、支柱が、可能な限り枢動点２２の近傍で膜に付着していることが必要とされる。
【００１７】
さらに、可能な限り小さな角度のＶ字形状の外縁部１８を有することが望ましい。より小さな角度に関する副次的要因は、シェルフ１６が容器本体内の製品への接近をほとんど妨害しないようにするという実際的要求である。製品がワセリンの場合、シェルフは、消費者が、余分なワセリンをシェルフの縁部に当てて自分の指から拭い取ることを可能にするというさらなる目的を果たす。
【００１８】
図５は、プラスチック膜１２の反対面（下面）の図である。この図は、脆弱なウェブ３６の線、および、特別な明瞭性をもってシェルフ１６のＶ字形状の外縁部１８を明らかにしている。この図において最も良く見えるのは、容器本体内に向かって下方へ突出し、枢動点２２に向かって長さを有する中央リブ３８である。好ましい実施形態では、側方リブ４０ａ、４０ｂは、中央リブの両側に位置しており、同様に容器本体内に向かって下方へ突出するようにシェルフに配置されている。側方リブの双方は、中央リブよりも長くなっており、互いに向かって次第に接近している。
【００１９】
本発明について、本発明の特定の実施形態を参照しながら詳細に説明してきたが、様々な変更例および修正例が、本発明の精神および範囲から逸脱せずに、本発明に関して実施され得ることは、当業者には明らかである。
【図１】
2014522782.tif 000003
【図２】
2014522782.tif 000004
【図３】
2014522782.tif 000005
【図４】
2014522782.tif 000006
【図５】
2014522782.tif 000007
【国際調査報告】
2014522782.tif 000008
2014522782.tif 000009
2014522782.tif 000010